(57)【要約】【課題】電子黒板から読み込んだ画像記憶手段内の画像データを自動的に消去することにより重要データの漏洩を防ぐことができるようにする。【解決手段】スキャナ５が電子黒板３に記載された内容を画像データとして読み取り、システム制御部１１がその画像データをデータ記憶装置１２に保存し、その保存時から、スケジューラ１３が、タイマ１４の出力する現在時刻を周期的に取得して、所定の保存時間が経過したとき、または所定の保持期限時刻に達したとき、消去部１５を起動する。これにより、消去部１５はデータ記憶装置１２に保存された画像データを自動的に消去する。また所定の保存時間または保持期限時刻は操作部４などを用いて利用者が設定できる。【選択図】図１
2008049594.tif 000002
【特許請求の範囲】
【請求項１】
手書きの文字または画像が記載される電子黒板と、該電子黒板に記載された内容を画像データとして読み取る読み取り手段と、該読み取り手段により読み取られた画像データを保存する画像記憶手段を内蔵した制御装置と、該制御装置との間で通信を行い前記画像記憶手段に保存された画像データを取り込むホストコンピュータとを備えた電子黒板システムにおいて、前記制御装置内に、前記画像記憶手段に保存された画像データを自動的に消去するデータ消去手段を備えたことを特徴とする電子黒板システム。
【請求項２】
請求項１記載の電子黒板システムにおいて、前記画像データが前記画像記憶手段に保存されてからの経過時間を計測する計測手段を備え、前記データ消去手段は、該計測手段により計測された経過時間が所定の保存時間に達したときに前記画像記憶手段に保存された画像データを自動的に消去することを特徴とする電子黒板システム。
【請求項３】
請求項２記載の電子黒板システムにおいて、前記所定の保存時間を指定させる時間指定手段を備えたことを特徴とする電子黒板システム。
【請求項４】
請求項３記載の電子黒板システムにおいて、前記時間指定手段として前記制御装置付属の操作手段を用いたことを特徴とする電子黒板システム。
【請求項５】
請求項３記載の電子黒板システムにおいて、前記時間指定手段を前記ホストコンピュータ内に備え、該ホストコンピュータは前記所定の保存時間を前記制御装置へ転送することを特徴とする電子黒板システム。
【請求項６】
請求項３記載の電子黒板システムにおいて、前記時間指定手段として前記電子黒板に書き込まれた文字を認識する文字認識手段を備えたことを特徴とする電子黒板システム。
【請求項７】
請求項３記載の電子黒板システムにおいて、前記時間指定手段として前記電子黒板に書き込まれた記号または図形を認識する画像認識手段を備えたことを特徴とする電子黒板システム。
【請求項８】
請求項１記載の電子黒板システムにおいて、前記データ消去手段は前記画像記憶手段に保存された画像データを所定の時刻または日時になったときに自動的に消去することを特徴とする電子黒板システム。
【請求項９】
請求項８記載の電子黒板システムにおいて、前記所定の時刻または日時を指定させる時刻指定手段を備えたことを特徴とする電子黒板システム。
【請求項１０】
請求項９記載の電子黒板システムにおいて、前記時刻指定手段として前記制御装置付属の操作手段を用いたことを特徴とする電子黒板システム。
【請求項１１】
請求項９記載の電子黒板システムにおいて、前記時刻指定手段を前記ホストコンピュータ内に備え、該ホストコンピュータは前記所定の時刻または日時を前記制御装置へ転送することを特徴とする電子黒板システム。
【請求項１２】
請求項９記載の電子黒板システムにおいて、前記時刻指定手段として前記電子黒板に書き込まれた文字を認識する文字認識手段を備えたことを特徴とする電子黒板システム。
【請求項１３】
請求項９記載の電子黒板システムにおいて、前記時刻指定手段として前記電子黒板に書き込まれた記号または図形を認識する画像認識手段を備えたことを特徴とする電子黒板システム。
【請求項１４】
請求項１記載の電子黒板システムにおいて、前記ホストコンピュータは前記制御装置との接続を行って前記画像記憶手段に保存された画像データを取得する構成であって、前記データ消去手段は、前記接続が解除されたときに前記画像記憶手段に保存された画像データを自動的に消去することを特徴とする電子黒板システム。
【請求項１５】
請求項１４記載の電子黒板システムにおいて、前記データ消去手段は所定の接続回数ごとに接続解除時に前記画像データを消去することを特徴とする電子黒板システム。
【請求項１６】
請求項１５記載の電子黒板システムにおいて、前記接続回数を指定させる回数指定手段を備えたことを特徴とする電子黒板システム。
【請求項１７】
電子黒板から読み取って記憶装置に保存した画像データの消去方法において、保存時から所定の時間が経過したとき、または所定の時刻に達したとき、保存した画像データを自動的に消去することを特徴とする画像データ消去方法。
【請求項１８】
電子黒板から読み取って記憶装置に保存した画像データの消去方法において、保存されている画像データがホストコンピュータへ転送されたとき、保存されている画像データを自動的に消去することを特徴とする画像データ消去方法。
【発明の詳細な説明】
【技術分野】
【０００１】
本発明は、画面上に直接書き込んだり、書き込んだ文字・画像を含めて表示されている内容を読み込んだりできる電子黒板システムに係り、特に、画面上から読み込んで画像記憶手段に格納した画像データの消去技術に関する。
【背景技術】
【０００２】
電子黒板システム（電子ホワイトボードシステム）では、画面上に直接書き込んだり、書き込んだ文字・画像を含めて画面上の内容を読み込んだりできる。また、画面上から読み込んだ画像をその場で印刷したり、その画像データを制御装置に内蔵された記憶装置に取り込んだ後、ホストコンピュータにコピーしたりすることができる。
以下、特許文献に示された関連する従来技術について説明する。
【０００３】
先ず、特許文献１に示された従来技術だが、この従来技術では、画像が記載される黒板面と、この黒板面に記載された画像を読み取る黒板読み取り手段と、この黒板読み取り手段で読み取られた画像データを記憶する画像記憶手段と、この画像記憶手段に記憶された画像データを印刷用紙に印刷出力する用紙印刷手段と、黒板面に記載された画像を消去する画像消去手段と、データ入力のない時間が事前に設定された基準時間を超過すると前記画像消去手段で黒板面の画像を消去させる動作制御手段とを備え、画像消去手段で黒板面の画像を消去させる場合に前記黒板読み取り手段で黒板面から画像データを読み取って前記画像記憶手段に記憶させる。
【０００４】
また、特許文献２に示された従来技術では、書き込み面に書き込んだ書き込み情報を利用者が消し忘れても、予め設定した所定の設定時間が経過すると、消去手段が作動し、消し忘れた書き込み情報を自動的に消去する。
また、特許文献３に示された従来技術はデータ処理装置を含む複数の入力装置からの情報を１台の表示装置に表示するようにした電子会議システムであって、元々表示されていた会議情報を壊すことなく会議を行うことができ、また、どの装置から描かれた情報かを区別でき、また、残したいメモと一時的なメモを区別でき、前記各入力装置からの情報をメモとして前記表示装置に表示したとき、前記各入力装置からそれぞれ設定した時間が経過すると、前記表示情報が自動的に削除される。
【０００５】
また、特許文献４記載の従来技術では、複数のページをもつ電子黒板装置において、消し忘れによる情報の流出を防止すると共にその利便性を向上させるために、スクリーンに記載された内容を消去する消去部、指紋によるユーザー認識が可能な操作部、ユーザー認識を利用した消し忘れによる情報の流出を防止するための制御を行う制御部などを備える。
また、特許文献５記載の従来技術では、所望の書き込み内容については、消去操作を一々行わなくても一旦書き込んだ内容を共有ウィンドウ上から消去することができる。具体的には、永続描画機能が指定されている状態ではオペレータによる消去操作が行われるまで共有ウィンドウに書き込まれた描画オブジェクトを表示させ、一時描画機能が指定されている状態では共有ウィンドウに書き込まれた描画オブジェクトを所定時間経過後に消去する。
【特許文献１】特開平８−６５４３２号公報
【特許文献２】特開２００１−１５０８７４公報
【特許文献３】特開２００４−３２５８０６公報
【特許文献４】特開２００５−８８２０４公報
【特許文献５】特開２００５−２６０９８６公報
【発明の開示】
【発明が解決しようとする課題】
【０００６】
しかしながら、前記した従来技術では、電子黒板面から読み取って記憶装置に取り込んだ画像データの保護に関しては対策が甘くなっている。例えば、会議終了後に電子黒板に書き込んだ会議の内容を画像データとして記憶装置にコピーし、さらにその画像データをＵＳＢなど接続インタフェースに繋いで持参したノート型ＰＣにコピーし、その後、記憶装置内の画像データの消去を忘れるということがしばしば発生する。
本発明は、このような従来技術の問題を解決しようとするものであり、具体的には、電子黒板から読み込んだ画像記憶手段内のデータを自動的に消去することにより重要データの漏洩を防ぐことができる電子黒板システムを提供すると共に、併せて利便性の高い関連機能を提供することを目的とする。
【課題を解決するための手段】
【０００７】
前記した課題を解決するために、請求項１記載の電子黒板システムは、手書きの文字または画像が記載される電子黒板と、該電子黒板に記載された内容を画像データとして読み取る読み取り手段と、該読み取り手段により読み取られた画像データを保存する画像記憶手段を内蔵した制御装置と、該制御装置との間で通信を行い前記画像記憶手段に保存された画像データを取り込むホストコンピュータとを備えた電子黒板システムにおいて、前記制御装置内に、前記画像記憶手段に保存された画像データを自動的に消去するデータ消去手段を備える。
請求項２記載の電子黒板システムは、請求項１記載の電子黒板システムにおいて、前記画像データが前記画像記憶手段に保存されてからの経過時間を計測する計測手段を備え、該計測手段により計測された経過時間が所定の保存時間に達したとき、前記データ消去手段が前記画像記憶手段に保存された画像データを自動的に消去する構成とする。
【０００８】
請求項３記載の電子黒板システムは、請求項２記載の電子黒板システムにおいて、前記所定の保存時間を指定させる時間指定手段を備える。
請求項４記載の電子黒板システムは、請求項３記載の電子黒板システムにおいて、前記時間指定手段として前記制御装置付属の操作手段を用いる構成とする。
請求項５記載の電子黒板システムは、請求項３記載の電子黒板システムにおいて、前記時間指定手段を前記ホストコンピュータ内に備え、該ホストコンピュータは前記所定の保存時間を前記制御装置へ転送する構成とする。
請求項６記載の電子黒板システムは、請求項３記載の電子黒板システムにおいて、前記時間指定手段として前記電子黒板に書き込まれた文字を認識する文字認識手段を備える。
【０００９】
請求項７記載の電子黒板システムは、請求項３記載の電子黒板システムにおいて、前記時間指定手段として前記電子黒板に書き込まれた記号または図形を認識する画像認識手段を備える。
請求項８記載の電子黒板システムは、請求項１記載の電子黒板システムにおいて、前記データ消去手段は前記画像記憶手段に保存された画像データを所定の時刻または日時になったときに自動的に消去する構成とする。
請求項９記載の電子黒板システムは、請求項８記載の電子黒板システムにおいて、前記所定の時刻または日時を指定させる時刻指定手段を備える。
請求項１０記載の電子黒板システムは、請求項９記載の電子黒板システムにおいて、前記時刻指定手段として前記制御装置付属の操作手段を用いた構成とする。
【００１０】
請求項１１記載の電子黒板システムは、請求項９記載の電子黒板システムにおいて、前記時刻指定手段を前記ホストコンピュータ内に備え、該ホストコンピュータは前記所定の時刻または日時を前記制御装置へ転送する構成とする。
請求項１２記載の電子黒板システムは、請求項９記載の電子黒板システムにおいて、前記時刻指定手段として前記電子黒板に書き込まれた文字を認識する文字認識手段を備える。
請求項１３記載の電子黒板システムは、請求項９記載の電子黒板システムにおいて、前記時刻指定手段として前記電子黒板に書き込まれた記号または図形を認識する画像認識手段を備える。
請求項１４記載の電子黒板システムは、請求項１記載の電子黒板システムにおいて、前記ホストコンピュータは前記制御装置との接続を行って前記画像記憶手段に保存された画像データを取得する構成であって、前記データ消去手段は、前記接続が解除されたときに前記画像記憶手段に保存された画像データを自動的に消去する構成とする。
【００１１】
請求項１５記載の電子黒板システムは、請求項１４記載の電子黒板システムにおいて、前記データ消去手段は所定の接続回数ごとに接続解除時に前記画像データを消去する構成とする。
請求項１６記載の電子黒板システムは、請求項１５記載の電子黒板システムにおいて、前記接続回数を指定させる回数指定手段を備える。
請求項１７記載の方法は、電子黒板から読み取って記憶装置に保存した画像データの消去方法において、保存時から所定の時間が経過したとき、または所定の時刻に達したとき、保存した画像データを自動的に消去する構成とする。
請求項１８記載の方法は、電子黒板から読み取って記憶装置に保存した画像データの消去方法において、保存されている画像データがホストコンピュータへ転送されたとき、保存されている画像データを自動的に消去する構成とする。
【発明の効果】
【００１２】
本発明によれば、電子黒板から読み取った画像データを画像記憶手段に保存する電子黒板システムにおいて、保存時から所定の時間が経過したとき、または所定の時刻に達したとき、保存した画像データを自動的に消去できるので、重要データの漏洩を防ぐことができる。
【発明を実施するための最良の形態】
【００１３】
以下、図面を参照して本発明の実施形態を詳細に説明する。但し、この実施形態に記載される構成要素、種類、組み合わせ、形状、その相対位置などは特定的な記載がない限りこの説明の範囲をそれのみに限定する主旨ではなく、単なる説明例に過ぎない。
【実施例１】
【００１４】
図１は本発明の第１の実施例として電子黒板システムの構成を示すブロック図である。図示したように、この電子黒板システムは電子黒板装置１とその電子黒板装置１から画像データなどを取得するホストコンピュータ（例えばパーソナルコンピュータ）２から成り、電子黒板装置１は、利用者により手書き文字や図が書き込まれる電子黒板３、利用者が各種指示のための入力を行う操作部（請求項記載の操作手段に相当する）４、電子黒板３に書き込まれた内容を読み取るスキャナ（請求項記載の読み取り手段に相当する）５、制御装置６などから成る。なお、図１においては、スキャナ５をブロック図化して示しているが、実際は、スキャナ５は、例えば黒板面（ホワイトボード面）の高さ分の長さを持ち、スキャナ５の長手方向と直角方向に黒板面上を移動すると共に、光源と黒板面からの反射光を電気信号に変換する光電変換素子とが一体になった読み取り部がスキャナ５の長手方向に走行する。
【００１５】
また、制御装置６は、電子黒板装置１の全体を制御するシステム制御部１１、スキャナ５により読み取られた画像データなどを保存しておくデータ記憶装置（例えばハードディスク記憶装置で、請求項記載の画像記憶手段に相当する）１２、そのデータ記憶装置１２に記憶された画像データの消去の予定を管理するスケジューラ１３、そのスケジューラ１３が現在時刻を取得するために用いるタイマ（請求項記載の計測手段に相当する）１４、データ記憶装置１２に保存された画像データを消去する消去部（請求項記載のデータ消去手段に相当する）１５、データ記憶装置１２に保存された画像データを保護するために画像データに読み出し禁止のロックをかけるロック管理部１６、ホストコンピュータ２とのインタフェースである入出力ポート１７などを備える。なお、システム制御部１１、スケジューラ１３、消去部１５及びロック管理部１６はプログラムに従って動作するＣＰＵを共有する。
このような構成で、この実施例では、データ記憶装置１２に画像データが保存されてからの経過時間が所定の保存時間に達したとき、データ記憶装置１２に保存された画像データを自動的に消去することができる。
【００１６】
図２はこの実施例の電子黒板システムにおける消去動作を示すフロー図である。以下、この動作フローを説明する。
この実施例では、電子黒板３の黒板面に書き込まれた内容を、操作部４から入力された指示によりスキャナ５が読み込む（ステップ１）。これにより、システム制御部１１は読み込まれた画像データをデータ記憶装置１２に格納し保存させる（ステップ２）。
そのあと直ちに、または時が過ぎてから、利用者は操作部４により消去指定を行う（ステップ３）。なお、直ちに消去指定を行う場合、利用者は請求項記載の時間指定手段により前記所定の保存時間を保持期限として指定する。図３に、時間指定手段として操作部４を用いた場合の保持期限指定の例を示す。図３はタッチパネルの例で、利用者が「ＵＰ」ボタンにタッチすると、システム制御部１１はそれを認識して表示している時間をタッチがあるたびに例えば３０分ずつ増加させる。同様に、利用者が「ＤＯＷＮ」ボタンにタッチすると、システム制御部１１はタッチがあるたびに例えば３０分ずつ減少させる。
【００１７】
次に、システム制御部１１は保持期限が指定された否かを判定し（ステップ４）、指定されていたならば（ステップ４でＹＥＳ）、スケジューラ１３を起動する。これにより、スケジューラ１３はタイマ１４から定期的に現在時刻を取得し、指定された所定の保存時間が経過したか否か、つまり保持期限に達したか否かを判定する（ステップ５）。そして、保持期限に達したならば（ステップ５でＹＥＳ）、スケジューラ１３は消去部１５を呼び出し、消去部１５はデータ記憶装置１２内の画像データを消去する（ステップ６）。なお、前記において、保持期限に達する前にスキャナ５による読み取りが再度発生し、画像データが更新されたならば、スケジューラ１３はそのときを起点として再び保存時間の経過を監視する。
一方、ステップ４において、保持期限の指定がないと判定された場合（ステップ４でＮＯ）、スケジューラ１３は消去部１５を直ちに呼び出し、消去部１５はデータ記憶装置１２内の画像データを消去する（ステップ６）。
【００１８】
このように、この実施例によれば、電子黒板３から読み込んだデータ記憶装置内のデータを自動的に消去できるので、重要データの漏洩を防ぐことができる。また、電子黒板３から読み込んだ画像データをデータ記憶装置内に格納してから自動消去までの保存時間を指定できるので、保存時間を利用者の意図通りにできる。なお、前記においては、その保存時間を電子黒板３から読み込むごとに指定しているが、予め指定させてその保存時間を登録しておくことも可能で、このような構成では、変更がない限り保存時間の指定は一度行えばよい。また、保存時間を指定する場合、消去指定（ステップ３）は省略できる。
【実施例２】
【００１９】
図４は本発明の第２の実施例として電子黒板システムの構成を示すブロック図である。図示したように、この電子黒板システムは図１に示した構成に加えて文字認識部（請求項記載の文字認識手段に相当する）１８を制御装置６内に備える。そして、図５に示したように、前記した所定の保存時間を電子黒板３に数字で書き込むことにより指定する。
具体的には、電子黒板３にペンを使用して書き込まれた保存時間をスキャナ５により読み込ませ、文字認識部１８が当業者には公知の方法で手書きの保存時間を認識する。そして、認識後、その保存時間に達したならば（ステップ５でＹＥＳ）、スケジューラ１３は消去部１５を呼び出し、消去部１５はデータ記憶装置１２内の画像データを消去する（ステップ６）。
このように、この実施例によれば、電子黒板３に数字を書き込むことによりデータ記憶装置１２に保存しておく時間を指定できるので、利便性が向上する。
【実施例３】
【００２０】
この実施例では、図４に示した文字認識部１８の代りに記号認識部（請求項記載の画像認識手段に相当する）を備える。そして、図６に示したように、前記した所定の保存時間を電子黒板３に記号で書き込むことにより指定する。図示の例では、□は１時間、○は１０分を示しており、従って、保持時間は１時間２０分である。
具体的には、電子黒板３にペンを使用して記号で書き込まれた保存時間をスキャナ５により読み込ませ、記号認識部が当業者には公知の方法で認識する。そして、認識後、その保存時間に達したならば（ステップ５でＹＥＳ）、スケジューラ１３は消去部１５を呼び出し、消去部１５はデータ記憶装置１２内の画像データを消去する（ステップ６）。
このような方法では、紛らわしい記号を避けることにより保存時間の認識が容易になる。
【実施例４】
【００２１】
この実施例では、前記所定の保存時間を指定する時間指定手段をホストコンピュータ２内に備え、ホストコンピュータ２がその所定の保存時間を制御装置６へ転送する。
図７に指定例を示す。例えばホストコンピュータ２内で所定のプログラムを起動し、図示したような「ＵＰ」ボタンと「ＤＯＷＮ」ボタンで保存時間を指定させる。
【実施例５】
【００２２】
この実施例では、データ記憶装置１２に保存された画像データを所定の時刻または日時になったときに自動的に消去する。実施例５の動作フローを図８に示す。以下、この動作フローを説明する。
この実施例では、電子黒板３の黒板面に書き込まれた内容を、操作部４から入力された指示によりスキャナ５が読み込む（ステップ１１）。これにより、システム制御部１１は読み込まれた画像データをデータ記憶装置１２に格納し保存させる（ステップ１２）。
そのあと直ちに、または時が過ぎてから、利用者は操作部４により消去指定を行う（ステップ１３）。なお、直ちに消去指定を行う場合、利用者は前記所定の時刻または日時を保持期限として指定する。図９に、時刻指定手段として操作部４を用いた保持期限時刻の指定例を示す。図９はタッチパネルの例で、利用者が「ＵＰ」ボタンにタッチすると、システム制御部１１はそれを認識して表示している時刻をタッチがあるたびに例えば３０分ずつ増加させる。同様に、利用者が「ＤＯＷＮ」ボタンにタッチすると、システム制御部１１はタッチがあるたびに例えば３０分ずつ減少させる。
【００２３】
次に、システム制御部１１は保持期限の時刻または日時が指定された否かを判定し（ステップ１４）、指定されていたならば（ステップ１４でＹＥＳ）、スケジューラ１３を起動する。これにより、スケジューラ１３はタイマ１４から定期的に現在時刻を取得し、指定された所定の時刻または日時に達したか否かを判定する（ステップ１５）。そして、その時刻または日時に達したならば（ステップ１５でＹＥＳ）、スケジューラ１３は消去部１５を呼び出し、消去部１５はデータ記憶装置１２内の画像データを消去する（ステップ１６）。
一方、ステップ１４において、時刻または日時の指定がないと判定された場合（ステップ１４でＮＯ）、スケジューラ１３は消去部１５を直ちに呼び出し、消去部１５はデータ記憶装置１２内の画像データを消去する（ステップ１６）。
【００２４】
なお、保持期限の時刻または日時の指定方法については実施例２〜実施例４に示した保存時間指定と同様な方法も可能である。このうち、電子黒板３から記号を用いて指定する場合には電子黒板３を針式の時計に見立てて時刻を記号の種類と記号記載位置で示す。図１０に示した例では、□は午前を表し、その記載位置から午前３時と認識される。
また、この実施例において、時刻指定による消去を定期的に行うようにする構成も可能である。例えば毎日その時刻になると読み込んだ画像データを消去したり、所定の曜日のその時刻に消去したりするのである。
【００２５】
こうして、この実施例によれば、実施例１と同様の効果を得ることができる。なお、前記においては、消去する時刻を電子黒板３から読み込むごとに指定しているが、予め指定させてその時刻を登録しておくことも可能で、このような構成では、変更がない限り指定は一度行えばよい。また、保存時間を指定する場合、消去指定（ステップ１３）は省略できる。従って、定例会議などにこの実施例の電子黒板システムを用いれば、その定例会議の終了予定時刻の所定時間後を消去時刻に設定することにより、一度の設定で適切な消去時刻設定が可能になる。
【実施例６】
【００２６】
この実施例では、ホストコンピュータ２との接続回数を数え、所定の接続回数ごとに接続解除時にデータ記憶装置１２内の画像データを消去する。第６の実施例の動作フローを図１１に示す。以下、この動作フローを説明する。
先ず、電子黒板３の黒板面に書き込まれた内容を、操作部４から入力された指示によりスキャナ５が読み込む（ステップ２１）。これにより、システム制御部１１は読み込まれた画像データをデータ記憶装置１２に格納し保存させる（ステップ２２）。
そのあと直ちに、または時が過ぎてから、利用者は操作部４により消去指定を行う（ステップ２３）。なお、直ちに消去指定を行う場合、利用者は請求項記載の回数指定手段により上限接続回数を指定する。上限接続回数の指定方法は実施例１〜実施例４における保存時間の指定方法と同様である。
【００２７】
次に、システム制御部１１は上限接続回数が指定された否かを判定し（ステップ２４）、指定されていたならば（ステップ２４でＹＥＳ）、スケジューラ１３を起動する。これにより、スケジューラ１３はホストコンピュータ２との接続回数（入出力ポート１７への接続回数）を数え、指定された上限接続回数に達したか否かを判定する（ステップ２５）。そして、上限接続回数に達したならば（ステップ２５でＹＥＳ）、スケジューラ１３は消去部１５を呼び出し、消去部１５は当該ホストコンピュータ接続の解除後にデータ記憶装置１２内の画像データを消去する（ステップ２６）。
一方、ステップ２４において、上限接続回数の指定がないと判定された場合（ステップ２４でＮＯ）、スケジューラ１３は消去部１５を直ちに呼び出し、消去部１５はデータ記憶装置１２内の画像データを消去する（ステップ２６）。
【００２８】
なお、前記においてはホストコンピュータ２との接続回数を数えたが、データ記憶装置１２への画像データ格納回数を数え、その格納回数が指定した上限格納回数に達したときにデータ記憶装置１２内の画像データを消去するようにしてもよい。また、接続回数を数えることなく、ホストコンピュータ接続の解除ごとにデータ記憶装置１２内の画像データを消去するようにしてもよい。
また、ホストコンピュータ接続の解除後に消去する場合、解除ごとであれ、所定の接続回数ごとの解除後であれ、消去指定（ステップ２３）を省略できる。
このように、この実施例では、ホストコンピュータ接続の解除時にデータ記憶装置１２内の画像データが自動的に消去されるので、実施例１と同様の効果が得られると共に、画像データをホストコンピュータへ取り込む前に画像データが消去される事態を回避できる。また、指定した接続回数ごとの接続解除時に自動消去する構成では、データ記憶装置１２内の画像データの消去回数の不要な増大を抑制できる。
【図面の簡単な説明】
【００２９】
【図１】本発明の第１の実施例として電子黒板システムの構成を示すブロック図。
【図２】本発明の第１の実施例として電子黒板システム要部の動作フローを示すフロー図。
【図３】本発明の第１の実施例として操作部を用いた保存時間指定例を示す説明図。
【図４】本発明の第２の実施例として電子黒板システムの構成を示すブロック図。
【図５】本発明の第２の実施例として電子黒板を用いた保存時間指定例を示す説明図。
【図６】本発明の第３の実施例として電子黒板を用いた他の保存時間指定例を示す説明図。
【図７】本発明の第４の実施例としてホストコンピュータを用いた保存時間指定例を示す説明図。
【図８】本発明の第５の実施例として電子黒板システム要部の動作フローを示すフロー図。
【図９】本発明の第５の実施例として操作部を用いた保持期限時刻指定例を示す説明図。
【図１０】本発明の第５の実施例として電子黒板を用いた保持期限時刻指定例を示す説明図。
【図１１】本発明の第６の実施例として電子黒板システム要部の動作フローを示すフロー図。
【符号の説明】
【００３０】
１  電子黒板装置、２  ホストコンピュータ、３  電子黒板、４  操作部、５  スキャナ、６  制御装置、１１  システム制御部、１２  データ記憶装置、１３  スケジューラ、１４  タイマ、１５  消去部、１７  入出力ポート、１８  文字認識部
【図１】
2008049594.tif 000003
【図２】
2008049594.tif 000004
【図３】
2008049594.tif 000005
【図４】
2008049594.tif 000006
【図５】
2008049594.tif 000007
【図６】
2008049594.tif 000008
【図７】
2008049594.tif 000009
【図８】
2008049594.tif 000010
【図９】
2008049594.tif 000011
【図１０】
2008049594.tif 000012
【図１１】
2008049594.tif 000013